【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
ステープル変形端を有するハウジング部材と、
ほぼ真っ直ぐな移動路に沿って前記ハウジング部材内にて可動に配置されるステープルと、
前記ハウジング部材の前記ステープル変形端に隣接し、前記ステープルにアクセスする第１開口と、
前記ハウジング部材の前記ステープル変形端に隣接し、前記ステープルが通るように大きさが定められている第２開口と、
前記ハウジング部材内に配置され、前記ほぼ真っ直ぐな移動路に沿って前記ステープル変形端に向かって前記ステープルを進め、前記ハウジング部材のステープル変形端に対して傾斜した傾斜面を有する送りシューとを具えており、
前記傾斜面に圧力が加わると、前記ハウジング部材の前記ステープル変形端と係合する位置と、前記ハウジング部材の前記ステープル変形端から離れた位置との間で、前記送りシューが移動し、
前記ステープルと、前記第１開口と、前記第２開口とは、前記ハウジング部材の前記ステープル変形端にて互いにほぼ垂直に、且つ前記ステープルの前記移動路に対してほぼ垂直に向いている手術用ステープルカートリッジ。
【請求項２】
ステープル変形端を有するハウジング部材と、
ほぼ真っ直ぐな移動路に沿って前記ハウジング部材内にて可動に配置されるステープルと、
前記ハウジング部材の前記ステープル変形端に隣接し、前記ステープルにアクセスする第１開口と、
前記ハウジング部材の前記ステープル変形端に隣接し、前記ステープルが通るように大きさが定められている第２開口と、
前記ハウジング部材内に配置され、前記ハウジング部材のステープル変形端に対して傾斜した傾斜面を有する送りシューと、
前記ハウジング部材から延びており、記憶位置と、前記記憶位置から外向きに曲げられた曲がり位置との間で動く可撓性アームとを具えており、
前記可撓性アームが前記曲がり位置にある場合、前記可撓性アームと前記ハウジング部材の間により大きな隙間が生じ、
前記傾斜面に圧力が加わると、前記ハウジング部材の前記ステープル変形端と係合する位置と、前記ハウジング部材の前記ステープル変形端から離れた位置との間で、前記送りシューが移動し、
前記ステープルと、前記第１開口と、前記第２開口とは、前記ハウジング部材の前記ステープル変形端にて互いにほぼ垂直に、且つ前記ステープルの前記移動路に対してほぼ垂直に向いている手術用ステープルカートリッジ。
【請求項３】
スナップ受け部を具えており、ステープル変形端を有するハウジング部材と、
ほぼ真っ直ぐな移動路に沿って前記ハウジング部材内にて可動に配置されるステープルと、
前記ハウジング部材の前記ステープル変形端に隣接し、前記ステープルにアクセスする第１開口と、
前記ハウジング部材の前記ステープル変形端に隣接し、前記ステープルが通るように大きさが定められている第２開口と、
前記ハウジング部材内に配置され、前記ハウジング部材のステープル変形端に対して傾斜した傾斜面を有する送りシューと、
前記ハウジング部材内に前記ステープルを配置した後に、前記ハウジング部材の後端に取り付けられるキャップ部材であって、前記キャップ部材から延出するキャップ部材用可撓性アームと、前記キャップ部材用可撓性アームに配置されたスナップとを具えており、前記スナップは、前記スナップ受け部に着脱自在に留められるキャップ部材とを具えており、
前記傾斜面に圧力が加わると、前記ハウジング部材の前記ステープル変形端と係合する位置と、前記ハウジング部材の前記ステープル変形端から離れた位置との間で、前記送りシューが移動し、
前記ステープルと、前記第１開口と、前記第２開口とは、前記ハウジング部材の前記ステープル変形端にて互いにほぼ垂直に、且つ前記ステープルの前記移動路に対してほぼ垂直に向いている手術用ステープルカートリッジ。
【請求項４】
ハウジング部材用可撓性アームと、前記ハウジング部材用可撓性アームに配置されたスナップとを具えており、ステープル変形端を有するハウジング部材と、
ほぼ真っ直ぐな移動路に沿って前記ハウジング部材内にて可動に配置されるステープルと、
前記ハウジング部材の前記ステープル変形端に隣接し、前記ステープルにアクセスする第１開口と、
前記ハウジング部材の前記ステープル変形端に隣接し、前記ステープルが通るように大きさが定められている第２開口と、
前記ハウジング部材内に配置され、前記ハウジング部材のステープル変形端に対して傾斜した傾斜面を有した送りシューと、
前記傾斜面に圧力が加わると、前記ステープルカートリッジの前記ステープル変形端と係合する位置と、前記ハウジング部材の前記ステープル変形端から離れた位置との間で、前記送りシューが移動し、
前記ステープルと、前記第１開口と、前記第２開口とは、前記ハウジング部材の前記ステープル変形端にて互いにほぼ垂直に、且つ前記ステープルの前記移動路に対してほぼ垂直に向いている手術用ステープルカートリッジ。
【請求項５】
固定されたステープル変形端を有するハウジング部材と、
前記ハウジング部材内に配置され、前記ハウジング部材のステープル変形端に対して傾斜した傾斜面を有した送りシューと、
前記送りシューによって、ほぼ真っ直ぐな移動路に沿って前記固定されたステープル変形端に向かって進められ、前記移動路に対してほぼ垂直に向いたステープルと、
前記固定されたステープル変形端に隣接し、前記ステープルとほぼ平行であって、前記ステープルが通るように大きさが定められた開口とを具えており、
前記傾斜面に圧力が加わると、前記ハウジング部材の前記ステープル変形端と係合する位置と、前記ハウジング部材の前記ステープル変形端から離れた位置との間で、前記送りシューが移動する廃棄可能な手術用ステープルカートリッジ。
【請求項６】
ステープル変形端を有するハウジング部材と、
前記ハウジング部材内に配置され、前記ハウジング部材のステープル変形端に対して傾斜した傾斜面を有した送りシューと、
前記送りシューによって、ほぼ真っ直ぐな移動路に沿って前記固定されたステープル変形端に向かって進められる凹状のステープルであって、ほぼ真っ直ぐな頂部と、前記頂部から垂直に延出する１対の突起とを具えており、各突起では、前記頂部の反対側の先端が十分に鋭くなっているステープルと、
前記ステープル変形端にあって、前記ステープルが通るように大きさが定められた開口とを具えており、
前記傾斜面に圧力が加わると、前記ハウジング部材の前記ステープル変形端と係合する位置と、前記ハウジング部材の前記ステープル変形端から離れた位置との間で、前記送りシューが移動する廃棄可能な手術用ステープルカートリッジ。
【請求項７】
ステープル変形端を有するハウジング部材と、
前記ハウジング部材内に配置され、ほぼ真っ直ぐな移動路に沿って前記ステープル変形端に向かってステープルを進め、前記ハウジング部材のステープル変形端に対して傾斜した傾斜面を有する送りシューとを具えており、
前記傾斜面に圧力が加わると、前記ハウジング部材の前記ステープル変形端と係合する位置と、前記ハウジング部材の前記ステープル変形端から離れた位置との間で、前記送りシューが移動する手術用ステープルカートリッジ。
【請求項８】
ステープル変形端を有するハウジング部材と、
前記ハウジング部材から延びており、記憶位置と、前記記憶位置から外向きに曲げられた曲がり位置との間で動く可撓性アームとを具えており、
前記可撓性アームが前記曲がり位置にある場合、前記可撓性アームと前記ハウジング部材の間に、より大きな隙間が生じる手術用ステープルカートリッジ。
【請求項９】
ステープルカートリッジ収納部を有する本体部と、
前記本体部に可動に配置されるステープル変形部材と、
前記本体部に配置されるアンビル部材と、
休止位置とステープル変形位置との間で、前記ステープル変形部材を移動させる手段とを具える手術用ステープリング装置。
【請求項１０】
ステープルカートリッジ収納部を有する本体部と、
前記本体部に可動に配置されるステープル変形部材と、
ステープルを有しており、前記ステープルカートリッジ収納部に着脱自在に配置されるステープルカートリッジと、
前記本体部に配置されており、前記ステープル変形部材が休止位置からステープル変形位置まで移動すると、埋込み前の形状から埋込み後の形状に前記ステープルを変形させるアンビル部材とを具える手術用ステープリング装置。
【請求項１１】
ステープルカートリッジ収納部を有する本体部と、
前記本体部に可動に配置されるステープル変形部材と、
ステープル変形端を有するハウジング部材、前記ハウジング部材内にて可動に配置されるステープル、前記ハウジング部材内に配置され、前記ステープル変形端に向かって前記ステープルを進める送りシューを有するステープルカートリッジとを具える手術用ステープリング装置。
【請求項１２】
ステープルカートリッジ収納部を有する本体部と、
前記本体部に可動に配置されるステープル変形部材と、
ステープルカートリッジとを具えており、
前記ステープルカートリッジは、ハウジング部材と、前記ステープルカートリッジ収納部に前記ステープルカートリッジを着脱自在に配置する手段とを具える手術用ステープリング装置。
【請求項１３】
ステープルカートリッジを受け入れるように構成される本体部と、
前記本体部に可動に配置されるステープル変形部材と、
ハウジング部材を有するステープルカートリッジとを具えており、
前記ハウジング部材は、前記ステープルカートリッジを前記本体部に着脱自在に配置するスナップフィットを有している手術用ステープリング装置。
【請求項１４】
ステープルカートリッジ収納部を有する本体部と、
前記本体部に可動に配置されるステープル変形部材と、
ステープルカートリッジとを具えており、
前記ステープルカートリッジは、ステープル変形端を有するハウジング部材と、前記ハウジング部材内に可動に配置され、前記ハウジング部材のステープル変形端に対して傾斜した傾斜面を有する送りシューと、前記送りシューによって、前記ステープル変形端に向かって進められるステープルと、前記ステープル変形端に隣接し、前記ステープルが通るように大きさが定められた開口とを具えている手術用ステープリング装置。
【請求項１５】
ステープルカートリッジ収納部を有する本体部と、
前記本体部に可動に配置されるステープル変形部材と、
ステープルカートリッジであって、ステープル変形端を有するハウジング部材と、前記ハウジング部材内にて可動に配置されるステープルと、前記ハウジング部材内に可動に配置され、前記ステープル変形端に向かって前記ステープルを進める送りシューとを有するステープルカートリッジと、
前記本体部に配置されており、前記ステープル変形部材が休止位置からステープル変形位置まで移動すると、埋込み前の形状から埋込み後の形状に前記ステープルを変形させるアンビル部材とを具える手術用ステープリング装置。